(57)【要約】      （修正有）【課題】種々の清掃部位に対応して効率的な洗浄清掃を行える利便性に富んだ扇状吐水機能を有した散水装置および該洗浄清掃の利便性に優れた散水方法の提供。【解決手段】散水装置１給水路に連通した本体部２、連結部６及び噴水部１６を有し、連結部６が、導入部と回動部を有し、導入部が、導入本体部１１とロックハンドル部材１２を有し、回動部が、切替ハンドル部材１３、切替板１４及び切替キャップ部材１５を有する。本体部２と連結部６とを第１連結位置または第２連結位置に連結した場合、それぞれの連結位置で異なる吐水領域（Ｌ、Ｈ）の扇状吐水を散水し、第１連結位置および第２連結位置のいずれの連結状態であっても、噴水部１６を回動することによって流水経路を噴水経路または扇状吐水経路に切替可能にして噴水または扇状吐水を散水することができる。【選択図】図３
2018167148.tif 000002
【特許請求の範囲】
【請求項１】
給水路と連通する本体部と、
該本体部の吐水端側に設けられ、多数の噴水孔を有する噴水部と、を備え、
前記給水路より流入した流入水を前記噴水孔により分散して噴水する散水装置において、
前記噴水部に溝孔を穿設し、
前記本体部の吐水端に連結され通水可能な連結部を有し、
前記噴水部は、前記連結部の吐水端に回動軸の回りに回動可能に取着され、
前記連結部は、前記本体部に対し前記回動軸を中心にした円周軌跡上で異なる、少なくとも第１連結位置および第２連結位置のいずれかで連結可能であり、
前記連結部は、
前記流入水を前記噴水孔に導いて噴水する噴水経路と、前記流入水を前記溝孔に導いて前記溝孔から扇状に吐水させる扇状吐水経路とを含む流水経路を有し、
前記扇状吐水経路は、前記連結部を前記第１連結位置または前記第２連結位置のいずれかで前記本体部に連結した状態において扇状の吐水領域を異ならせる吐水経路を含み、
前記本体部と前記連結部との連結位置が前記第１連結位置および前記第２連結位置のいずれであっても、前記噴水部の回動位置に応じて、前記流水経路を前記噴水経路または前記扇状吐水経路に切替可能にしたことを特徴とする散水装置。
【請求項２】
前記流水経路は、
前記第１連結位置および前記第２連結位置のいずれの連結状態であっても、前記噴水部の回動位置に応じて前記流入水を前記噴水経路および前記扇状吐水経路に通水可能にする混成通水経路を含む請求項１に記載の散水装置。
【請求項３】
前記連結部は、
前記本体部の吐水端側に取着される前記流入水の導入部と、
前記導入部と通水可能に連通し、前記導入部に対し回動可能で、吐水側で前記噴水部が取着される回動部と、を有し、
前記導入部は、前記本体部に設けた複数の係合部に係合する係止部を有し、
前記係合部と前記係止部との係合位置により、前記導入部は、前記本体部に対し前記第１連結位置または前記第２連結位置のいずれかに連結可能にした請求項１または２に記載の散水装置。
【請求項４】
前記回動部は、
異なる回動位置で前記導入部と連通可能な、第１の通水部および第２の通水部を有し、
前記噴水部を前記噴水経路を開放する回動位置に回動した場合、前記第１の通水部は、前記導入部と連通して前記噴水経路を形成し、
前記噴水部を前記扇状吐水経路を開放する回動位置に回動した場合、前記第２の通水部は、前記導入部と連通して前記扇状吐水経路を形成する請求項３に記載の散水装置。
【請求項５】
前記溝孔は、１つの噴水孔よりも大きい開口面積を有する請求項１〜４のいずれかに記載の散水装置。
【請求項６】
前記溝孔の周囲に前記多数の噴水孔を配置した請求項１〜５のいずれかに記載の散水装置。
【請求項７】
前記連結部は、前記本体部の前記吐水端側に対向して配置され、通水を浄化する浄水部を有し、前記流入水は、前記浄水部を経て前記流水経路を流通する請求項１〜６のいずれかに記載の散水装置。
【請求項８】
前記浄水部は、浄水材を収容したカートリッジを収容可能な収容空間により構成された請求項７に記載の散水装置。
【請求項９】
給水路と連通する本体部と、該本体部の吐水端側に設けられ、多数の噴水孔を有する噴水部と、を備え、前記給水路より流入した流入水を前記噴水孔により分散して噴水する散水装置を用いて複数の吐水態様で散水する散水方法であって、
前記散水装置において、
前記噴水部に溝孔を穿設し、
前記本体部の吐水端に連結され通水可能な連結部を設け、
前記噴水部は、前記連結部の吐水端に回動軸の回りに回動可能に取着され、
前記連結部は、前記本体部に対し前記回動軸を中心にした円周軌跡上で異なる、少なくとも第１連結位置および第２連結位置のいずれかで連結可能であり、
前記連結部は、
前記流入水を前記噴水孔に導いて噴水する噴水経路と、前記流入水を前記溝孔に導いて前記溝孔から扇状に吐水させる扇状吐水経路とを含む流水経路を有し、
前記扇状吐水経路は、前記連結部を前記第１連結位置または前記第２連結位置のいずれかで前記本体部に連結した状態において扇状の吐水領域を異ならせる吐水経路を含み、
前記本体部と前記連結部とを前記第１連結位置または前記第２連結位置に連結した場合、それぞれの連結位置で異なる吐水領域の扇状吐水を散水し、前記第１連結位置および前記第２連結位置のいずれの連結状態であっても、前記噴水部を回動することによって前記流水経路を前記噴水経路または前記扇状吐水経路に切替可能にして噴水または扇状吐水を散水することを特徴とする散水方法。
【請求項１０】
前記第１連結位置および前記第２連結位置のいずれの連結状態であっても、前記噴水部の回動位置に応じて前記流水経路を前記噴水経路および前記扇状吐水経路に通水可能な混成通水経路に切替可能にして噴水および扇状吐水を同時散水する請求項９に記載の散水方法。
【発明の詳細な説明】
【技術分野】
【０００１】
本発明は、扇形に広がった吐水領域を有した扇状吐水を含む複数の吐水態様により散水可能な散水装置および散水方法に関する。
【背景技術】
【０００２】
従来、シャワー水だけでなく、例えば、ストレート水を吐水可能にした付加吐水機能を備えた多機能形散水装置が知られている。例えば、特許文献１には、吐水量や水圧の異なるハードシャワー、ソフトシャワーおよびマッサージシャワーの吐水態様に切り替えて使用可能な多機能形散水装置が開示されている。特許文献１の散水装置によれば、拡散範囲や強弱の異なるシャワー水を使用することができる。
【先行技術文献】
【特許文献】
【０００３】
【特許文献１】特開２００５−１３１１４３号公報
【発明の概要】
【発明が解決しようとする課題】
【０００４】
一定の部位や場所をおおまかに洗い流す場合には、シャワー水により洗浄作業を行うことができる。一方、例えば、風呂場内の清掃、住宅外壁、車両あるいはサッシ等の建物器材の清掃を行う場合、清掃箇所によっては、例えば、比較的広い壁面あるいは例えば、風呂場のタイルの目地、サッシのレールの隙間等の比較的狭い部位の汚れを落とす洗浄作業を伴う。
【０００５】
しかしながら、シャワー水は、特許文献１のように、シャワー水の拡散範囲を切り替えたとしても、水流の噴付けによる洗浄用途に限られるため、上記のような比較的広い壁面と比較的狭い部位の汚れ落としを伴う清掃には、シャワー水では非効率な洗浄作業になってしまうという問題があった。比較的広い壁面と比較的狭い部位の洗浄には、散水装置の吐水ヘッドの吐水孔を溝形にして扇状の吐水を散水する散水方法を用いることができる。扇状吐水は、扇形に広がった吐水領域に噴出された水流を左右上下に移動させることにより刷毛で掃くように洗浄することができるので広い清掃面の洗浄清掃に適し、また、狭い条溝に沿って該水流を流し込むことで集中的に散水でき狭い清掃溝の洗浄清掃も行える。
【０００６】
しかしながら、散水装置に扇状吐水態様の付加機能を設ける場合、扇状の吐水領域の向きが固定されると、利用範囲が限られるという問題を生じた。すなわち、扇状の吐水を生ずる溝孔を吐水ヘッドに形成しても、吐水領域の向きが固定されてしまうため、例えば、清掃箇所の縦方向清掃から横方向清掃に切り替える場合、吐水領域の向きを縦扇状から横扇状に切替ようとすると、散水装置を一旦、把持した状態から手首を回す範囲が限られるので、吐水ヘッドの傾きだけで扇状の吐水領域の向きを縦扇状ないし横扇状に大きく変えるのが難しく操作性が低下するという問題が生じた。
【０００７】
本発明の目的は、種々の清掃部位に対応して効率的な洗浄清掃を行える利便性に富んだ扇状吐水機能を有した散水装置および該洗浄清掃の利便性に優れた散水方法を提供することである。
【課題を解決するための手段】
【０００８】
本発明に係る第１の形態は、
給水路と連通する本体部と、
該本体部の吐水端側に設けられ、多数の噴水孔を有する噴水部と、を備え、
前記給水路より流入した流入水を前記噴水孔により分散して噴水する散水装置において、
前記噴水部に溝孔を穿設し、
前記本体部の吐水端に連結され通水可能な連結部を有し、
前記噴水部は、前記連結部の吐水端に回動軸の回りに回動可能に取着され、
前記連結部は、前記本体部に対し前記回動軸を中心にした円周軌跡上で異なる、少なくとも第１連結位置および第２連結位置のいずれかで連結可能であり、
前記連結部は、
前記流入水を前記噴水孔に導いて噴水する噴水経路と、前記流入水を前記溝孔に導いて前記溝孔から扇状に吐水させる扇状吐水経路とを含む流水経路を有し、
前記扇状吐水経路は、前記連結部を前記第１連結位置または前記第２連結位置のいずれかで前記本体部に連結した状態において扇状の吐水領域を異ならせる吐水経路を含み、
前記本体部と前記連結部との連結位置が前記第１連結位置および前記第２連結位置のいずれであっても、前記噴水部の回動位置に応じて、前記流水経路を前記噴水経路または前記扇状吐水経路に切替可能にしたことを特徴とする散水装置である。
【０００９】
本発明に係る第２の形態は、
前記流水経路は、
前記第１連結位置および前記第２連結位置のいずれの連結状態であっても、前記噴水部の回動位置に応じて前記流入水を前記噴水経路および前記扇状吐水経路に通水可能にする混成通水経路を含む散水装置である。
【００１０】
本発明に係る第３の形態は、
前記連結部は、
前記本体部の吐水端側に取着される前記流入水の導入部と、
前記導入部と通水可能に連通し、前記導入部に対し回動可能で、吐水側で前記噴水部が取着される回動部と、を有し、
前記導入部は、前記本体部に設けた複数の係合部に係合する係止部を有し、
前記係合部と前記係止部との係合位置により、前記導入部は、前記本体部に対し前記第１連結位置または前記第２連結位置のいずれかに連結可能にした散水装置である。
【００１１】
本発明に係る第４の形態は、
前記回動部は、
異なる回動位置で前記導入部と連通可能な、第１の通水部および第２の通水部を有し、
前記噴水部を前記噴水経路を開放する回動位置に回動した場合、前記第１の通水部は、前記導入部と連通して前記噴水経路を形成し、
前記噴水部を前記扇状吐水経路を開放する回動位置に回動した場合、前記第２の通水部は、前記導入部と連通して前記扇状吐水経路を形成する散水装置である。
【００１２】
本発明に係る第５の形態は、前記溝孔は、１つの噴水孔よりも大きい開口面積を有する散水装置である。
【００１３】
本発明に係る第６の形態は、前記溝孔の周囲に前記多数の噴水孔を配置した散水装置である。
【００１４】
本発明に係る第７の形態は、前記連結部は、前記本体部の前記吐水端側に対向して配置され、通水を浄化する浄水部を有し、前記流入水は、前記浄水部を経て前記流水経路を流通する散水装置である。
【００１５】
本発明に係る第８の形態は、前記浄水部は、浄水材を収容したカートリッジを収容可能な収容空間により構成された散水装置である。
【００１６】
本発明に係る第９の形態は、
給水路と連通する本体部と、該本体部の吐水端側に設けられ、多数の噴水孔を有する噴水部と、を備え、前記給水路より流入した流入水を前記噴水孔により分散して噴水する散水装置を用いて複数の吐水態様で散水する散水方法であって、
前記散水装置において、
前記噴水部に溝孔を穿設し、
前記本体部の吐水端に連結され通水可能な連結部を設け、
前記噴水部は、前記連結部の吐水端に回動軸の回りに回動可能に取着され、
前記連結部は、前記本体部に対し前記回動軸を中心にした円周軌跡上で異なる、少なくとも第１連結位置および第２連結位置のいずれかで連結可能であり、
前記連結部は、
前記流入水を前記噴水孔に導いて噴水する噴水経路と、前記流入水を前記溝孔に導いて前記溝孔から扇状に吐水させる扇状吐水経路とを含む流水経路を有し、
前記扇状吐水経路は、前記連結部を前記第１連結位置または前記第２連結位置のいずれかで前記本体部に連結した状態において扇状の吐水領域を異ならせる吐水経路を含み、
前記本体部と前記連結部とを前記第１連結位置または前記第２連結位置に連結した場合、それぞれの連結位置で異なる吐水領域の扇状吐水を散水し、前記第１連結位置および前記第２連結位置のいずれの連結状態であっても、前記噴水部を回動することによって前記流水経路を前記噴水経路または前記扇状吐水経路に切替可能にして噴水または扇状吐水を散水することを特徴とする散水方法である。
【００１７】
本発明に係る第１０の形態は、
前記第１連結位置および前記第２連結位置のいずれの連結状態であっても、前記噴水部の回動位置に応じて前記流水経路を前記噴水経路および前記扇状吐水経路に通水可能な混成通水経路に切替可能にして噴水および扇状吐水を同時散水する散水方法である。
【発明の効果】
【００１８】
本発明に係る第１の形態によれば、噴水部に溝孔を穿設し、本体部の吐水端に連結され通水可能な連結部を有し、噴水部は、連結部の吐水端に回動軸の回りに回動可能に取着され、連結部は、本体部に対し回動軸を中心にした円周軌跡上で異なる、少なくとも第１連結位置および第２連結位置のいずれかで連結可能であり、連結部は、流入水を噴水孔に導いて噴水する噴水経路と、流入水を溝孔に導いて溝孔から扇状に吐水させる扇状吐水経路とを含む流水経路を有し、扇状吐水経路は、連結部を第１連結位置または第２連結位置のいずれかで本体部に連結した状態において扇状の吐水領域を異ならせる吐水経路を含み、本体部と連結部との連結位置が第１連結位置および第２連結位置のいずれであっても、噴水部の回動位置に応じて、流水経路を噴水経路または扇状吐水経路に切替可能にしたので、連結部を第１連結位置または第２連結位置に連結することにより異なった吐水領域の扇状吐水の使用が可能になり、特には、第１連結位置または第２連結位置は、回動軸を中心にした円周軌跡上で異なり、連結位置の切替で無理なく異なる吐水領域の扇状吐水を使用することができる。さらに、連結状態が第１連結位置および第２連結位置のいずれであっても、噴水部を回動することによって多数の噴水孔により噴出させるシャワー水の吐水と、扇状吐水経路を通じて溝孔から扇状に吐水させる扇状吐水とに吐水態様を切り替えることができる。したがって、本形態に係る散水装置は、本体部の持ち方を変えずともシャワー水と、第１連結位置または第２連結位置に応じた吐水領域で吐水し得る扇状吐水とを簡便に切替可能であるから、広い清掃面に対して一定の操作方向で（左右または上下）扇状吐水の散水による洗浄清掃を行え、また、狭い条溝箇所にも扇状吐水の集中的散水を行え、さらにシャワー水に適宜切り替えて、例えば、飛散した洗浄薬液等の除去清掃も行える
という、種々の清掃部位に対応して効率的な洗浄清掃を行える利便性に富んだ多機能散水装置を実現することができる。本発明は、美容やマッサージの洗浄に好適な扇状吐水を含む複数吐水態様の散水を行う散水装置にも適用することができる。
【００１９】
連結位置の変更角度は、本体部の軸芯の回りに例えば、９０°にすると、本体部の縦方向に沿った縦方向の吐水領域またはそれより９０°回転した横方向の吐水領域で吐水し得る扇状吐水を散水することができる。本発明における連結位置の変更角度は、この９０°の場合に限定されず、９０°未満、例えば、６０〜７０°あるいは、９０°を超えた、例えば、１００〜１１０°等の所定値に設定することができる。
【００２０】
本発明に係る第２の形態によれば、流水経路は、第１連結位置および第２連結位置のいずれの連結状態であっても、噴水部の回動位置に応じて流入水を噴水経路および扇状吐水経路に通水可能にする混成通水経路を含むので、シャワー水と、第１連結位置または第２連結位置に応じた吐水領域で吐水し得る扇状吐水と、シャワー水の噴水および扇状吐水の同時散水とを簡便に切替可能であり、広い清掃面や狭い条溝箇所を含む複合的な清掃部位に対して効率的な散水を行える利便性に優れた散水装置を実現することができる。
【００２１】
本発明に係る第３の形態によれば、連結部は、本体部の吐水端側に取着される流入水の導入部と、導入部と通水可能に連通し、導入部に対し回動可能で、吐水側で噴水部が取着される回動部と、を有し、導入部は、本体部に設けた複数の係合部に係合する係止部を有し、係合部と係止部との係合位置によって本体部に対し第１連結位置または第２連結位置のいずれかに連結可能にしたので、異なった吐水領域の扇状吐水を使用する場合、導入部の係合位置を変更する操作だけで第１連結位置または第２連結位置の連結状態を変更して所望の吐水領域の扇状吐水の使用が可能になり、シャワー水と、複数の吐水領域で吐水し得る扇状吐水とを簡便に切り替えて使用でき、種々の清掃部位に対応して効率的な洗浄清掃を行える利便性に富んだ多機能散水装置を実現することができる。
【００２２】
本発明に係る第４の形態によれば、回動部は、異なる回動位置で導入部と連通可能な、第１の通水部および第２の通水部を有し、噴水部を噴水経路を開放する回動位置に回動した場合、第１の通水部は、導入部と連通して噴水経路を形成し、噴水部を扇状吐水経路を開放する回動位置に回動した場合、第２の通水部は、導入部と連通して扇状吐水経路を形成するので、第１連結位置または第２連結位置のいずれかの連結状態において連結部を回動させる操作を行うだけで、該連結状態に対応した吐水領域の扇状吐水とシャワー水の吐水とに切替ることができ、種々の清掃部位に対応して効率的な洗浄清掃を行える利便性に富んだ多機能散水装置を実現することができる。
【００２３】
本発明に係る第５の形態によれば、溝孔は、１つの噴水孔よりも大きい開口面積を有するので、本体部より拡散された吐水領域の扇状吐水を噴出させることができる。本形態は、係る扇状吐水を連結位置の変更によって吐水領域を異ならせることができ、種々の清掃部位に対応して効率的な洗浄清掃を行える好適な利便性に富む散水装置を提供できる。
【００２４】
本発明に係る溝孔は、例えば、長孔や矩形スリットの形体にすることができる。本発明においては、単一の溝孔に限らず、例えば、所定間隔をあけて穿設された複数個の溝孔で構成された複合溝孔を使用することができる。
【００２５】
本発明に係る第６の形態によれば、多数の噴水孔を溝孔の周囲に配置したので、シャワー水の使用時と同様の持ち方で所望の吐水領域による扇状吐水を使用した洗浄等を行え、種々の清掃部位に対応して効率的な洗浄清掃を行える利便性に富む散水装置を提供できる。
【００２６】
本発明に係る第７の形態によれば、連結部は、本体部の吐水端側に対向して配置され、通水を浄化する浄水部を有し、流入水は、浄水部を経て流水経路を流通するので、流水経路に流入する前段階に位置する浄水部にて浄化された水を噴水経路または扇状吐水経路に通水し、浄化された水によるシャワー水および扇状吐水を散水させることにより、種々の清掃部位に対応して効率的な洗浄清掃を行える利便性に富む散水装置を提供できる。
【００２７】
本発明に係る第８の形態によれば、浄水部は、浄水材を収容したカートリッジを収容可能な収容空間により構成されたので、連結部を着脱することによって浄化用のカートリッジを簡易に取り替えることができ、種々の清掃部位に対応して効率的な洗浄清掃を行える利便性に富む散水装置を提供できる。
【００２８】
本発明に係る第９の形態によれば、
給水路と連通する本体部と、該本体部の吐水端側に設けられ、多数の噴水孔を有する噴水部と、を備え、給水路より流入した流入水を噴水孔により分散して噴水する散水装置を用いて複数の吐水態様で散水する散水方法であって、
散水装置において、噴水部に溝孔を穿設し、本体部の吐水端に連結され通水可能な連結部を設け、噴水部は、連結部の吐水端に回動軸の回りに回動可能に取着され、連結部は、本体部に対し前記回動軸を中心にした円周軌跡上で異なる、少なくとも第１連結位置および第２連結位置のいずれかで連結可能であり、
連結部は、流入水を前記噴水孔に導いて噴水する噴水経路と、流入水を溝孔に導いて前記溝孔から扇状に吐水させる扇状吐水経路とを含む流水経路を有し、
扇状吐水経路は、連結部を第１連結位置または第２連結位置のいずれかで本体部に連結した状態において扇状の吐水領域を異ならせる吐水経路を含み、
本体部と連結部とを第１連結位置または第２連結位置に連結した場合、それぞれの連結位置で異なる吐水領域の扇状吐水を散水し、第１連結位置および第２連結位置のいずれの連結状態であっても、噴水部を回動することによって流水経路を噴水経路または扇状吐水経路に切替可能にして噴水または扇状吐水を散水することができる。したがって、本形態に係る散水方法は、連結部を第１連結位置または第２連結位置に連結することにより異なった吐水領域の扇状吐水の散水が可能になり、特には、第１連結位置または第２連結位置は、回動軸を中心にした円周軌跡上で異なり、連結位置の切替で無理なく異なる吐水領域の扇状吐水を散水することができる。さらに、連結状態が第１連結位置および第２連結位置のいずれであっても、噴水部を回動することによって多数の噴水孔により噴出させるシャワー水の吐水と、扇状吐水経路を通じて溝孔から扇状に吐水させる扇状吐水とに吐水態様を切り替えることができる。すなわち、本形態は、本体部の持ち方を変えずともシャワー水と、第１連結位置または第２連結位置に応じた吐水領域で吐水し得る扇状吐水とを簡便に切り替えて、種々の清掃部位に対応して効率的な洗浄清掃を行える利便性に優れた散水方法を提供することができる。
【００２９】
本発明に係る第１０の形態によれば、第１連結位置および第２連結位置のいずれの連結状態であっても、噴水部の回動位置に応じて流水経路を噴水経路および扇状吐水経路に通水可能な混成通水経路に切替可能にして噴水および扇状吐水を同時散水するので、シャワー水と、第１連結位置または第２連結位置に応じた吐水領域で吐水し得る扇状吐水と、シャワー水の噴水および扇状吐水の同時散水とを簡便に切り替えて、広い清掃面や狭い条溝箇所を含む複合的な清掃部位に対して効率的な散水を行える利便性に優れた散水方法を提供することができる。本発明は、例えば、美容やマッサージのための洗浄に好適な扇状吐水を含む複数吐水態様の散水を行う散水方法としても使用することができる。
【図面の簡単な説明】
【００３０】
【図１】図１は、本発明の一実施形態に係る散水装置１の外観斜視図である。
【図２】図２は、散水装置１の正面図である。
【図３】図３は、散水装置１の縦断面図である。
【図４】図４は、散水装置１の分解斜視図である。
【図５】図５は、散水装置１の本体部２の横断面図および外観斜視図である。
【図６】図６は、本体部２の頭部３の縦断面図、正面図および外観斜視図である。
【図７】図７は、散水装置１の連結部６を凹部４に装着するときの取付前の状態を示す外観斜視図である。
【図８】図８は、連結部６の導入本体部１１の上面図、外観斜視図、縦断面図、側面図および横断面図である。
【図９】図９は、連結部６のロックハンドル部材１２の上面図、側面図および外観斜視図である。
【図１０】図１０は、散水装置１の切替ハンドル１３の外観斜視図、上面図、側面図、縦断面図である。
【図１１】図１１は、散水装置１の切替板１４の上面図、外観斜視図、側面図、縦断面図、側面図である。
【図１２】図１２は、散水装置１の切替キャップ部材１５の上面図、外観斜視図、縦断面図、側面図、縦断面図である。
【図１３】図１３は、切替キャップ部材１５の底部の平面図である。
【図１４】図１４は、散水装置１の噴水部１６の外観斜視図、横断面図、側面図、下面図である。
【図１５】図１５は、散水装置１による扇状吐水の吐水状態を示す外観斜視図である。
【図１６】図１６は、切替ハンドル１３の回動操作によって、切替板１４の貫通孔１４ｄ、１４ｅに対し、切替キャップ部材１５の一対の貫通孔１５ｅが回転移動する変化を示す平面図である。
【発明を実施するための形態】
【００３１】
以下に、本発明に係る散水装置の実施形態を添付した図面を参照して詳細に説明する。
【００３２】
図１は、本発明の一実施形態に係る散水装置１の外観斜視図である。図２〜図４は、散水装置１の正面図、縦断面図、分解斜視図である。図４の（４Ａ）および（４Ｂ）は、それぞれ異なる方向から見た場合の散水装置１の分解斜視図である。
【００３３】
散水装置１は、給水路９と連通する本体部２と、本体部２の吐水端に連結され通水可能な連結部６と、連結部６を介して本体部２の吐水端側に設けられ、シャワー吐水用の多数の噴水孔１８および扇状吐水用の溝孔１７を有する噴水部１６とを備えたシャワー器具である。本体部２および噴水部１６は、ＡＢＳ、ポリアセタール、ＰＣ等の樹脂成形材で形成することができる。
【００３４】
本体部２は、杓子様の形体を有し、椀状の頭部３と、頭部３に連通する筒状の把持部５とにより一体的に構成されている。頭部３の一側部に把持部５が連結し、その連結箇所に連通孔２０ａが設けられている。頭部３は、円筒状の凹部４を有する。凹部４の内側面には、円周状に９０°づつ異なる位置に対称配置された薄肉状の凸部４ｃが４個形成されている。凸部４ｃ間の円周内面の空隙は、段差状になった４個の係合部４ｄが設けられている。４個の係合部４ｄは、互いに対向する位置に配置された１対の係合部４ｄを１組として、２組分を構成している。各係合部４ｄは、凹部４の内径部分の中心軸を回動軸として、該回動軸の回りに等間隔で配設されている。つまり、各係合部４ｄは、該回動軸を中心にした円周軌跡上で異なる位置に対称的に配置されている。各組の係合部４ｄ対は、互いに直交する位置関係になっている。凹部４の開口側の端縁内側には、連結部６を連結するための突起部４ａが突設されている。
【００３５】
連結部６は、本体部２の吐水端側に取着される流入水の導入部２１と、導入部２１と通水可能に連通し、導入部２１に対し回動可能な回動部２２とを有する。噴水部１６は、回動部２２の吐水側端部に取着されている。
【００３６】
導入部２１は、本体部２に設けた複数の係合部４ｄに係合する係止部１１ｄ、１１ｅを有する導入本体部１１と、係合部４ｄと係止部１１ｄ、１１ｅとの係合状態をロック保持するためのロックハンドル部材１２とを有する。導入本体部１１は、通水可能な筒体１１ａで構成され、筒体１１ａの一端側に一対の係止部１１ｄ、１１ｅが鉛直方向に突設されている。一対の係止部１１ｄ、１１ｅは、導入本体部１１の直径方向に互いに対向配置されている。
【００３７】
ロックハンドル部材１２は、操作部１２ａと、操作部１２ａより凹部４の内側に係合するロック係合部１２ｂと、操作部１２ａおよびロック係合部１２ｂを貫通する貫通孔１２ｃを有する。貫通孔１２ｃは、係止部１１ｄ、１１ｅを形成した端部と反対側の筒体１１ａの端部が遊挿可能な内径で形成されている。ロック係合部１２ｂは、外周に螺旋状に溝を形成した筒体により構成されている。操作部１２ａは、ロック係合部１２ｂより外側に張り出して矩形の４隅に丸みを形成した鍔形状を有する。
【００３８】
本体部２と導入本体部１１とを連結する場合、筒体１１ａの端部を貫通孔１２ｃに遊挿した状態で、指でロック係合部１２ｂの外側部を掴み時計回りに回動させて、ロック係合部１２ｂの溝を突起部４ａと係着するまでねじ込むことによって、本体部２と導入本体部１１との連結状態、つまり係合部４ｄと係止部１１ｄ、１１ｅとの係合状態をロック保持することができる。
【００３９】
係合部４ｄ対と係止部１１ｄ、１１ｅ対との係合位置により、導入部２１は、本体部２に対し略９０°異なる２方向の連結位置（第１連結位置または第２連結位置）で連結可能になっている。すなわち、係合位置を変更することにより、導入部２１を本体部２に対し第１連結位置または第２連結位置のいずれかに連結することができる。第１連結位置で連結した場合、図２の（２Ａ）に示すように、溝孔１７の溝方向を本体部２の長手方向の中心線に沿わせた状態で、溝孔１７からの噴水によって縦方向の扇状吐水領域による扇状吐水の散水が可能になる。第２連結位置で連結した場合、同図（２Ｂ）に示すように、溝孔１７の溝方向を本体部２の長手方向の中心線に対し略直交する向きに合わせた状態で、溝孔１７からの噴水によって（２Ａ）と略９０°異なる横方向の扇状吐水領域による扇状吐水の散水が可能になる。
【００４０】
回動部２２は、シャワー水と扇状吐水の吐水態様を切替操作するための切替ハンドル部材１３と、導入本体部１１の内部に内装される切替板１４と、切替ハンドル部材１３と連動して回動自在な切替キャップ部材１５とを有する。切替ハンドル部材１３は、操作部１２ａと類似した外形を備えたハンドル部１３ａと、中空部１３ｅとを有する。
【００４１】
噴水部１６は、シャワー吐水用の多数の噴水孔１８および扇状吐水用の溝孔１７が穿設された円形板形状のノズル部１６ａと、ノズル部１６ａに一体的に形成された取付用の噴水筒部１６ｂと、噴水筒部１６ｂの中央にノズル部１６ａの裏側に立設された扇状吐水用のノズル筒部１６ｅを有する。噴水筒部１６ｂの外周には、４個に分断配置された溝部１６ｄが設けられている。溝部１６ｄは、切替ハンドル１３と係合可能になっている。噴水部１６は、ノズル部１６ａの外表面がハンドル部１３の吐水側端面と面一になるように中空部１３ｅ内に嵌着されている。溝孔１７は、ノズル部１６ａの外表面より僅かに突出した突部１７ａに形成されている。
【００４２】
散水装置１の各構成部材の詳細を以下に説明する。
【００４３】
図５の（５Ａ）および（５Ｂ）は、本体部２の横断面図、外観斜視図である。図６の（６Ａ）、（６Ｂ）および（６Ｃ）は、本体部２の頭部３の縦断面図、正面図、外観斜視図である。
【００４４】
２組の係合部４ｄ対の傾斜線Ｃ２、Ｃ３は、本体部２の長手方向の中心線Ｃ１に対し略４５°傾斜している。１組の係合部４ｄ対のうちのひとつの係合部４ｄは、頭部３と把持部５との連結部分に位置する。把持部５は、下端側の下端開口（流入口）８から連通孔２０ａに至る直進流路２０が貫通形成された管体で構成されている。連通孔２０ａは、凹部４内に臨むように、該連結部分に位置する係合部４ｄの中央に設けられている。把持部５の下端は、下端開口８により開口されている。把持部５の下端部には、図３に示すように、給水管９の一端に取着されたロックナット部１０と螺合するねじ部７が形成されている。ねじ部７をロックナット部１０と螺着することにより、給水管９と直進流路２０が連通し、給水管９からの給水を下端開口８より流入し直進流路２０を通じて凹部４内に給水することができる。給水管９の他端は、図示しない水道蛇口部または給湯器の蛇口部に連結可能になっている。本体部２と給水管９との連通接続によって直進流路２０は、凹部４に至る給水路の一部を形成する。
【００４５】
凹部４の円形底面には、（６Ｂ）に示すように、導入本体部１１の筒体１１ａの上端部が当接する４個の当接部４ｅが突設されている。各当接部４ｅは、微小直方体形状を有する。１組の当接部４ｅ対は、中心線Ｃ１上に配設され、中心線Ｃに位置する係合部４ｄの中央近傍に位置する。別の１組の当接部４ｅ対は、中心線Ｃと直交する直交線上に配設され、該直交線に位置する係合部４ｄの中央近傍に位置する。４個の突起部４ａは、それぞれ４個の係合部４ｄに１対１で対応して凹部４の開口側に配設されている。正面視で斜め右下方に傾斜した傾斜線Ｃ３に対応する係合部４ｄの壁面および凹部４の底面には、縦向きの扇状吐水を行う場合の導入本体部１１の取付方向をガイダンスするための「たて」の刻印成形が施されている。傾斜線Ｃ３に交差する傾斜線Ｃ２に対応する係合部４ｄの壁面には、横向きの扇状吐水を行う場合の導入本体部１１の取付方向をガイダンスするための「よこ」の刻印成形が施されている。
【００４６】
図７は、噴水部１６を吐水側に嵌着した連結部６を凹部４に装着するときの取付前の状態を示す。図７は、縦向きの扇状吐水を行う場合に対応する。
【００４７】
縦向きの扇状吐水を行う場合、噴水部１６を回動部２２の吐水側に嵌着し、導入部２１と回動部２２を一体的に連結して組み立てた連結部６を、係止部１１ｄ、１１ｅを「たて」の刻印成形を目安にして、傾斜線Ｃ２に対応する係合部４ｄに挿入するように、凹部４の開口４ｂ側（吐水側）に導入部２１から嵌入させる。ついで、指でロック係合部１２ｂの外側部を掴み時計回りに回動させて、ロック係合部１２ｂの溝を突起部４ａと係着するまでねじ込みロック保持することによって、上記の一体的に連結して組み立てた連結部６を本体部２に対し、縦向きの扇状吐水を散水可能な状態にセットすることができる。横向きの扇状吐水を行う場合には、一体的に連結して組み立てた連結部６を、係止部１１ｄ、１１ｅを「よこ」の刻印成形を目安にして、傾斜線Ｃ３に対応する係合部４ｄに挿入するように凹部４に導入部２１から嵌入させた後、縦向きの場合と同様に、指でロック係合部１２ｂの外側部を掴み時計回りに回動させて、ロック係合部１２ｂの溝を突起部４ａと係着するまでねじ込みロック保持することによって、上記の一体的に連結して組み立てた連結部６を本体部２に対し、横向きの扇状吐水を散水可能な状態にセットすることができる。
【００４８】
図８は、導入本体部１１の詳細構造を示し、同図（８Ａ）〜（８Ｅ）はそれぞれ、導入本体部１１の上面図、外観斜視図、縦断面図、側面図、横断面図である。
【００４９】
筒体１１ａには、一対の係止部１１ｄ、１１ｅが鉛直方向に突設された上部側に通水を浄化するための浄水器としてのカートリッジ１９（図３参照）を収容可能な円筒状の凹部１１ｂが形成されている。凹部１１ｂの上端側外周には、本体部２の凹部４内側面との間に、断面Ｕ字形ゴムパッキンＰ１を収納するパッキン収容溝１１ｊが形成されている。凹部１１ｂの底部１１ｃは、下部側の空所との仕切部材になっている。下部側の空所は、底部１１ｃ直下の切替板１４の切替板収容部１１ｏと、切替板収容部１１ｏの下方の切替キャップ部材１５のキャップ収容部１１ｎとにより構成されている。凹部１１ｂには、下側に縮径された段差部１１ｐが形成され、円盤状のカートリッジ１９は、段差部１１ｐに当接して収容可能になっている。カートリッジ１９に収容される浄化材として、亜硫酸カルシウムや活性炭等のろ材を使用することができる。凹部１１ｂの上端側外周には、切替ハンドル１３と係合するための係合溝部１１ｊが形成されている。凹部１１ｂの底部１１ｃは、下部側の空所との仕切部材になっている。
【００５０】
底部１１ｃには、十字状の仕切部分を残して４個の扇形貫通孔１１ｆ〜１１ｉが穿設されている。筒体１１ａ内部において、扇形貫通孔１１ｆ〜１１ｉを通じて凹部１１ｂと、切替板収容部１１ｏおよびキャップ収容部１１ｎとは通水可能に連通している。凹部１１ｂの内径は、切替板収容部１１ｏおよびキャップ収容部１１ｎより大きく、切替板収容部１１ｏの内径は、キャップ収容部１１ｎより僅かに小さくなっている。切替板収容部１１ｏの内側面下部からキャップ部材１１ｎ内側面にわたり、縦軸方向に沿った位置決め溝１１ｑが刻設されている。位置決め溝１１ｑは、直径方向に対向する位置に１対設けられている。１対の位置決め溝１１ｑの配設方向は、扇形貫通孔１１ｆ、１１ｈと扇形貫通孔１１ｇ、１１ｉに分離する方向に一致している。
【００５１】
筒体１１ａの底部１１ｃ近傍の外周には、切替ハンドル１３の係合爪部１３ｃと係合可能な係合溝部１１ｌ、１１ｍが形成されている。（８Ｅ）に示すように、係合溝部１１ｍは、外周に沿って９０°づつ異なる位置に突設された突起で形成され、係合溝部１１ｌは、係合溝部１１ｍ間に均等に配設された傾斜状の突起で形成されている。係合溝部１１ｍ間の２つの係合溝部１１ｌは、隣接する係合溝部１１ｌ対と逆向きに傾斜している。筒体１１ａの下部外周には、切替ハンドル１３の内側面との間に、断面Ｙ字形ゴムパッキンＰ２を収納するパッキン収容溝１１ｋが形成されている。
【００５２】
図９は、ロックハンドル部材１２の詳細構造を示し、同図（９Ａ）〜（９Ｃ）はそれぞれ、ロックハンドル部材１２の上面図、側面図、外観斜視図である。
【００５３】
ロックハンドル部材１２のロック係合部１２ｂは、突起部４ａと係合可能に操作部１２ａと反対側端部に向けて螺旋状に傾斜した溝により構成されている。操作部１２ａの外周には、指が係りやすい凹凸部１２ｅが形成されている。筒体１１ａの端部を貫通孔１２ｃに遊挿した状態で、指でロック係合部１２ｂの外側部を掴み時計回りに回動させて、本体部２と導入本体部１１とを連結する際には、ロック係合部１２ｂは、ねじ様に本体部２側に進行して突起部４ａと係着可能になっている。
【００５４】
図１０は、切替ハンドル１３の詳細構造を示し、同図（１０Ａ）〜（１０Ｄ）はそれぞれ、切替ハンドル１３の外観斜視図、上面図、側面図、縦断面図である。
【００５５】
切替ハンドル１３のハンドル部１３ａは、上側に向けて逆台形状の側面を有する。中空部１３ｅの外周部１３ｂの上方には、内側に向いた係合端１３ｄを先端に有した係合爪部１３ｃが１６個、立設されている。係合爪部１３ｃは、中空部１３ｅに導入本体部１１を挿入した状態で係合溝部１１ｊに嵌入し、切替ハンドル１３を導入本体部１１に嵌着することができる。中空部１３ｅの下部内側には、噴水部１６を係着するための係着部１３ｇ
が４個均等に配設されている。係着部１３ｇは内周に沿った微小凹部形状を有し、係着部１３ｇ周辺には、内周に沿った略Ｌ字状の貫通溝１３ｆが形成されている。係着部１３ｇは、噴水筒部１６ｂの外周に設けた溝部１６ｄと係合可能になっている。
【００５６】
図１１は、切替板１４の詳細構造を示し、同図（１１Ａ）〜（１１Ｅ）はそれぞれ、切替板１４の上面図、外観斜視図、側面図、縦断面図、側面図である。（１１Ｃ）と（１１Ｅ）は、９０°異なる方向から示した側面図である。
【００５７】
切替板１４は、一対の係合突起１４を直径方向の外周に突設した大径板部１４ａと、大径部１４ａの上面１４ｃ側に設けた小径筒部１４ｂを有する。上面１４ｃには、導入本体部１１の底部１１ｃに設けた扇形貫通孔１１ｆ〜１１ｉに連通可能な貫通孔１４ｄ、１４ｅが穿設されている。貫通孔１４ｄ、１４ｅは、所定の間隔をあけて設けられている。４個の扇形貫通孔１１ｆ〜１１ｉは、底部１１ｃにおいて対向する２組、つまり扇形貫通孔１１ｆ、１１ｈ対と、扇形貫通孔１１ｇ、１１ｉ対で構成されている。貫通孔１４ｄ、１４ｅは、それぞれ各対の扇形貫通孔内に対向し通水可能な位置に設けられている。大径板部１４ａと小径筒部１４ｂとの外周段差部分は、Ｏリングｒ４（図３参照）を収納するＯリング段差部１４ｇになっている。大径板部１４ａの外周には、直径方向に対向する１対の位置決め突起１４ｆが突設されている。切替板１４を切替板収容部１１ｏに収容する場合、位置決め突起１４ｆを切替板収容部１１ｏおよびキャップ収容部１１ｎに設けた位置決め溝１１ｑに沿わせて挿入することにより所定の位置に内装することができる。切替板１４を切替板収容部１１ｏに内装した状態で、切替板１の回動不能にセットされ、貫通孔１４ｄ、１４ｅは、１対の位置決め溝１１ｑの配設方向で分離された扇形貫通孔１１ｆ、１１ｈと、扇形貫通孔１１ｇ、１１ｉのいずれかの貫通孔対の各孔に対向配置される。
【００５８】
導入部２１を本体部２に対し第１連結位置で連結した場合、扇形貫通孔１１ｆ、１１ｈ対は、それぞれ、貫通孔１４ｄ、１４ｅに連通して、縦方向の扇状吐水の散水が可能になる。導入部２１を本体部２に対し第２連結位置で連結した場合、扇形貫通孔１１ｇ、１１ｉ対は、それぞれ、貫通孔１４ｄ、１４ｅに連通して、横方向の扇状吐水の散水が可能になる。
【００５９】
図１２は、切替キャップ部材１５の詳細構造を示し、同図（１２Ａ）〜（１２Ｄ）はそれぞれ、切替キャップ部材１５の上面図、外観斜視図、縦断面図、側面図、縦断面図である。（１２Ｂ）と（１２Ｅ）は、９０°異なる方向から示した縦断面図である。図１３は、切替キャップ部材１５の底部の平面図である。
【００６０】
切替キャップ部材１５は、上側に蓋部１５ｉを形成した略筒体で構成されたキャップ本体部１５ａを有する。蓋部１５ｉの上面には、１対の円筒部１５ｂ、１５ｃが設けられている。１対の円筒部１５ｂ、１５ｃの各外周には、Ｏリングｒ１（図３の（３Ａ）参照）を収納可能なＯリング溝１５ｆが略８字状に設けられている。蓋部１５ｉの下方に、流水可能な円筒状空間部１５ｇが形成されている。円筒部１５ｂ、１５ｃの貫通孔１５ｅは、円筒状空間部１５ｇに通水可能に連通している。円筒部１５ｂ、１５ｃの間は、仕切部１５ｄによりＯリング溝１５ｆどうしを非接触状態に分離している。
【００６１】
１対の貫通孔１５ｅは、切替板１４の貫通孔１４ｄ、１４ｅと略同径であり、蓋部１５ｉの直径方向に並設され、扇状吐水の散水時に切替板１４の貫通孔１４ｄ、１４ｅに対峙する位置に設けられている。円筒状空間部１５ｇには、噴水部１６の噴水筒部１６ｅと係合して回動を規制する規制部材１５ｈと、噴水筒部１６ｅと嵌入する櫛歯状に多数形成された歯部１５ｊが設けられている。突起部１５ｈは、各歯部１５ｊより僅かに突出している。
【００６２】
図１４は、噴水部１６の詳細構造を示し、同図（１４Ａ）〜（１４Ｄ）はそれぞれ、噴水部１６の外観斜視図、横断面図、側面図、下面図である。
【００６３】
噴水部１６のノズル部１６ａの底面部１６ｃには、ノズル筒部１６ｅを囲むように穿設された噴水孔１８と、ノズル筒部１６ｅの下方に設けた扇状吐水用の溝孔１７が配設されている。ノズル筒部１６ｅの上端側には、切替キャップ部材１５の規制部材１５ｈが嵌入可能な縦溝部１６ｋが切欠き形成されている。一対の縦溝部１６ｋは直径方向に対向して配設されている。溝部１６ｄより吐水側下方の外周には、Ｏリングｒ２（図３参照）を収納可能なＯリング溝１６ｇが設けられている。ノズル筒部１６ｅの外径は、切替キャップ部材１５の円筒状空間部１５ｇに隙間なく嵌入し得る大きさである。ノズル筒部１６ｅを円筒状空間部１５ｇに挿入した状態で、円筒状空間部１５ｇの内側外周にＯリングｒ３（図３参照）が収納される。ノズル筒部１６ｅは、溝孔１７からの噴出速度（流速）を大きくするために、溝孔１７に連通する小径孔部１６ｉと、小径孔部１６ｉより上方の大径孔部１６ｈが形成されている。噴水孔１８は、微細径で形成され、霧状にシャワー水を吐水可能にしている。溝孔１７の噴出口は、ノズル部１６ａの平坦面より僅かに突出した突部１７ａに設けられ、該平坦面より僅かに前方側に扇状吐水が散水されるようにしている。突部１７ａを設けずに面一状に溝孔１７を設けてもよい。
【００６４】
噴水筒部１６ｂの溝部１６ｄの内部側面の外周径Ｒ３は、（１４Ｄ）の部分拡大図Ａに示すように、噴水筒部１０ｂの外周径と同径である。溝部１６ｄの一端側に切替ハンドル１３と噴水部１６との係合を強固にするための丸みを帯びた微小突起１６ｆが突設されている。微小突起１６ｆの先端の外周径Ｒ２は、溝部１６ｄの外部側面の外周径Ｒ１より小さく、噴水筒部１０ｂの外周径よりも僅かに大きい。切替ハンドル１３の中空部１３ｅに噴水部１６を嵌入して、切替キャップ部材１５の規制部材１５ｈを縦溝部１６ｋに嵌入することにより、微小突起１６ｆは、切替ハンドル１３の係着部１３ｇと嵌着し、切替キャップ部材１５と噴水部１６は、回動不能に係着される。
【００６５】
図６に示した連結部６および噴水部１６の組立構造は、以下の組立手順により組立てられる。
【００６６】
カートリッジ１９は、導入本体部１１の筒体１１ａの凹部１１ｂに収納される。Ｏリング段差部１４ｇにＯリングｒ４を収納して、切替板収容部１１ｎに切替板１４が挿入される。切替板１４の下側から切替キャップ部材１５が、Ｏリング溝１５ｆにＯリングｒ１に収容してキャップ収容部１１ｎに挿入される。これらの導入本体部１１、切替板１４および切替キャップ部材１５は、ロックハンドル部材１２の貫通孔１２ｃに挿通させる。
【００６７】
さらに、切替ハンドル１３の中空部１３ｅに噴水部１６を嵌入して、切替キャップ部材１５の規制部材１５ｈを縦溝部１６ｋに嵌入することにより、微小突起１６ｆと係着部１３ｇとの嵌着により、噴水部１６は、切替キャップ部材１５に対し回動不能に係着される。Ｏリングｒ２は、Ｏリング溝１６ｇに収納される。ノズル筒部１６ｅは、筒外周にＯリングｒ３を収納した状態で円筒状空間部１５ｇに挿入される。切替ハンドル１３の中空部１３ｅに導入本体部１１を挿入した状態で、係合爪部１３ｃが係合溝部１１ｊに嵌入し、切替ハンドル１３は導入本体部１１に嵌着される。筒体１１ａと中空部１３ｅの間には、断面Ｙ字形ゴムパッキンＰ２が、パッキン収容溝１１ｋに介挿される。
【００６８】
上記の組立手順により連結部６および噴水部１６が組立てられる。この組立状態において、ロックハンドル部材１２は、導入本体部１１の筒体１１ａの外周と、切替ハンドル１３の係合爪部１３ｃの外周との周りに回動自在に保持されている。ロックハンドル部材１２の操作部１２ａは、頭部３とハンドル部１３ａとの間に挟持されている。噴水部１６は、外周側にて係着部１３ｇと微小突起１６ｆとの係合により切替ハンドル１３と係合し、
内周側にて係着部１３ｇと微小突起１６ｆとの係合により切替ハンドル１３と係合し、ノズル筒部１６ｅの縦溝部１６ｋと規制部材１５ｈとの嵌合により切替キャップ部材１５と係合している。この係合関係により、噴水部１６および切替キャップ部材１５は、切替板１４を筒体１１ａの底部１１ｃ裏側の切替板収容部１１ｏに収容した状態を保持している。噴水部１６および切替キャップ部材１５は、切替ハンドル１３の中心軸である回動軸周りに一体的に連動して回動することができる。
【００６９】
溝孔１７は、その溝の長手方向が、１対の規制部材１５ｈの設置方向と直交する向きに形成され、１対の貫通孔１５ｅの設置方向に沿った向きに形成されている。切替板１４を切替板収容部１１ｏに内装した状態で、切替板１の回動不能にセットされ、貫通孔１４ｄ、１４ｅは、扇形貫通孔１１ｆ、１１ｈと、扇形貫通孔１１ｇ、１１ｉのいずれかの貫通孔対の各孔に対向配置されているので、切替ハンドル１３の回動操作により、いずれかの扇形貫通孔対の各孔に１対の貫通孔１５ｅが対向する位置に噴水部１６をセットすることができる。
【００７０】
本実施形態に係る散水装置１を用いた散水方法による使用態様を以下に説明する。
【００７１】
図１５は、散水装置１による扇状吐水の吐水状態を示す。
【００７２】
図１６は、切替ハンドル１３の回動操作によって、切替板１４の貫通孔１４ｄ、１４ｅに対し、切替キャップ部材１５の一対の貫通孔１５ｅが回転移動する変化を示す。
【００７３】
（１５Ａ）は、散水装置１を縦向きの扇状吐水を散水可能な状態にセットした場合を示す。（１６Ａ）は、扇状吐水を散水する位置に切替ハンドル１３を回動操作した状態を示す。
【００７４】
散水装置１を縦向きの扇状吐水を散水可能な状態にセットした場合、切替ハンドル１３を回動操作して、図２の（２Ａ）に示すように、溝孔１７を縦方向に位置させると、図３の（３Ａ）の矢印で示す流水経路が出現する。この場合、本体部２より給水された流入水は、凹部４に進入し、カートリッジ１９を通過する。カートリッジ１９の通過により、流入水は浄化されて扇形貫通孔１１ｆ〜１１ｉを通じて切替板１４の貫通孔１４ｄ、１４ｅに流入する。このセット状態において、貫通孔１４ｄ、１４ｅおよび切替キャップ部材１５の各貫通孔１５ｅは、互いに対向し合致した位置にあるので、扇形貫通孔１１ｆ〜１１ｉを経て流入水は、縦方向にセットされた切替キャップ部材１５の貫通孔１５ｅに流入し、噴水部１６のノズル筒部１６ｅの大径孔部１６ｈおよび小径孔部１６ｉを通過して溝孔１７から扇状吐水を散水することができる。以上の流水経路は、（１５Ａ）に示すように、前方に縦拡がりに拡散した吐水領域Ｌで縦方向の扇状吐水を散水可能にする扇状の吐水経路を形成している。
【００７５】
散水装置１を横向きの扇状吐水を散水可能な状態にセットした場合、切替ハンドル１３を回動操作して、溝孔１７を横方向に位置させると、流水経路として横方向の扇状吐水を散水可能にする扇状吐水経路が出現する。扇状吐水経路は、（１５Ｂ）に示すように、前方に横拡がりに拡散した吐水領域Ｈで横方向の扇状吐水を散水可能にする扇状の吐水経路を形成している。この場合、溝孔１７の位置を横方向にシフト移動するだけで、（３Ａ）と同様に吐水の散水を行える。縦方向または横方向の扇状吐水は、約５０°の拡散角度に拡がった吐水領域（ＬまたはＨ）で散水される。吐水領域の拡散角度は、溝孔１７の溝長さを調整することにより変更可能である。散水装置１は、上記扇状吐水の切替機能を備えており、散水装置１により例えば、浴室や風呂場の洗浄清掃する場合、把持部５を手で把持する持ち方を変えずとも、左右に移動させて（１５Ａ）による縦方向の扇状吐水による壁面洗浄を行え、また、（１５Ｂ）による横方向の扇状吐水による壁面洗浄を行え、効率
的な洗浄清掃作業を行うことができる。特には、例えば、タイル面の縦横の目地の汚れも縦方向の扇状吐水と横方向の扇状吐水を目地の方向に沿って集中的に散水でき、円滑かつ効率的な洗浄清掃作業を行うことができる。
【００７６】
図１５の（１５Ｂ）は、散水装置１をシャワー水を散水可能な状態にセットした場合を示す。（１６Ｃ）は、シャワー水の噴水を散水する位置に切替ハンドル１３を回動操作した状態を示す。
【００７７】
（１５Ａ）に示す縦方向または横方向にセットされた状態から、切替板収容部１１ｏの中心軸を回動軸Ｃにして切替ハンドル１３を回して、流入水が切替キャップ部材１５の貫通孔１５ｅに流入しない位置に回動することによりシャワー水を散水する噴水経路が形成される。（１５Ｂ）および（１６Ｃ）は、縦方向または横方向にセットされた状態から９０°回動した場合を示す。噴水経路の場合、Ｏリング溝１５ｆに収納されたＯリングｒ１により、切替板１３と切替キャップ部材１５の間は密閉され通水遮断状態なっているので、流入水は、カートリッジ１９を通過した後、貫通孔１４ｄ、１４ｅに流入することなく、扇形貫通孔１１ｆ〜１１ｉを通じてノズル筒部１６ｅの側方に流れ噴水孔１８からシャワー水として散水することができる。切替ハンドル１３の回動角度を調整して、噴水経路から扇状吐水経路に、あるいは扇状吐水経路から噴水経路に至る回動途中で、流入水の一部が貫通孔１５ｅにも流入する位置に回動した場合には、シャワー水と扇状吐水を同時に散水する混成通水経路を形成することができる。（１６Ｂ）は、貫通孔１４ｄ、１４ｅおよび切替キャップ部材１５の各貫通孔１５ｅの一部が重なり合った重合領域Ｗを介して連通して通水可能になった混成通水経路の形成状態を示す。この形成状態においては、重合領域Ｗを通じて貫通孔１５ｅの一部連通により扇状吐水の散水と、噴水孔１８側に流れた水流による噴水（シャワー水）の散水との同時散水を行うことができる。
【００７８】
上記構成に係る散水装置１において、回動部２２は、噴水部１６を上記噴水経路を開放する回動位置に回動した場合、導入部２１と連通して（３Ｂ）に示す噴水経路を形成する第１の通水部を有し、噴水部１６を上記扇状吐水経路を開放する回動位置に回動した場合、導入部２１と連通して（３Ａ）に示す扇状吐水経路を形成する第２の通水部を有している。第１の通水部および第２の通水部において、貫通孔１４ｄ、１４ｅ対および貫通孔１５ｅ対の組を介して通水する通水構造にしているが、単一の貫通孔の組、あるいは３個以上の貫通孔の組を介して通水する通水構造にすることができる。また、貫通孔１４ｄ、１４ｅおよび貫通孔１５ｅの孔形状は、円形に限らず多角形形状にしてもよい。
【００７９】
本実施形態によれば、連結部６は、流入水を噴水孔１８に導いて噴水する噴水経路と、流入水を溝孔１７に導いて溝孔１７から扇状に吐水させる扇状吐水経路とを含む流水経路を有し、該扇状吐水経路は、連結部６を第１連結位置（縦方向の扇状吐水位置）または第２連結位置（横方向の扇状吐水位置）のいずれかで本体部２に連結した状態において扇状の吐水領域（図１５のＬ、Ｈ）を異ならせる吐水経路を含み、本体部２と連結部６とを第１連結位置または第２連結位置に連結した場合、それぞれの連結位置で異なる吐水領域の扇状吐水を散水し、第１連結位置および第２連結位置のいずれの連結状態であっても、噴水部１６を回動することによって流水経路を噴水経路または扇状吐水経路に切替可能にして噴水または扇状吐水を散水することができる。本実施形態に係る散水方法においては、連結部６を第１連結位置または第２連結位置に連結することにより異なった吐水領域の扇状吐水の散水が可能になり、特には、第１連結位置または第２連結位置は、回動軸を中心にした円周軌跡上で異なり、連結位置の切替で無理なく異なる吐水領域の扇状吐水を散水することができる。さらに、連結状態が第１連結位置および第２連結位置のいずれであっても、噴水部１６を回動することによって多数の噴水孔１８により噴出させるシャワー水の吐水と、扇状吐水経路を通じて溝孔から扇状に吐水させる扇状吐水とに吐水態様を切り替えることができるので、本体部２の持ち方を変えずともシャワー水と、第１連結位置ま
たは第２連結位置に応じた吐水領域で吐水し得る扇状吐水とを簡便に切り替えて、例えば、風呂場等の広い洗浄清掃面やタイル面の目地の清掃溝などの種々の清掃部位に対応して効率的な洗浄清掃を行える利便性に優れた散水装置を実現することができる。係る利便性に富んだ扇状吐水機能を有した散水装置散水装置１による散水方法は、洗浄対象として、例えば、人体や動物における美容やマッサージの洗浄に適用することができる。
【００８０】
第１連結位置および第２連結位置のいずれの連結状態であっても、噴水部１６の回動位置に応じて流水経路を噴水経路および扇状吐水経路に通水可能な混成通水経路に切替可能にして噴水および扇状吐水を同時散水することができるので、シャワー水と、第１連結位置または第２連結位置に応じた吐水領域で吐水し得る扇状吐水と、噴水および扇状吐水の同時散水とを簡便に切り替えて、効率的な洗浄清掃を行える利便性に優れた散水装置を提供することができる。
【００８１】
本実施形態では、連結位置の変更角度は、本体部２の軸芯の回りに例えば、９０°にして、本体部２の縦方向に沿った縦方向の吐水領域またはそれより９０°回転した横方向の吐水領域で吐水し得る扇状吐水を散水するが、連結位置の変更角度は、９０°の場合に限定されず、９０°未満、例えば、６０〜７０°あるいは、９０°を超えた、例えば、１００〜１１０°の所定値に設定することができる。
【００８２】
連結部６は、本体部２の吐水端側に取着される流入水の導入部２１と、導入部２１と通水可能に連通し、導入部２１に対し回動可能で、吐水側で噴水部１６が取着される回動部２２と、を有し、導入部２１は、本体部２に設けた複数の係合部に係合する係止部を有し、係合部４ｄと係止部１１ｄ、１１ｅとの係合位置により、導入部２１は、本体部２に対し第１連結位置または第２連結位置のいずれかに連結可能にすることができる。したがって、異なった吐水領域の扇状吐水を使用する場合、導入部２１の係合位置を変更する操作だけで第１連結位置または第２連結位置の連結状態を変更して所望の吐水領域の扇状吐水の使用が可能になり、シャワー水と、複数の吐水領域で吐水し得る扇状吐水とを簡便に切り替えて使用でき利便性に富んだ多機能散水装置１を構成することができる。
【００８３】
回動部２２は、異なる回動位置で導入部２１と連通可能な、図１５に示す第１の通水部および第２の通水部を有し、噴水部１６を噴水経路を開放する回動位置に回動した場合、第１の通水部は、導入部２１と連通して噴水経路（（３Ｂ）参照）を形成し、噴水部１６を扇状吐水経路を開放する回動位置に回動した場合、第２の通水部は、導入部２１と連通して扇状吐水経路（（３Ａ）参照）を形成するので、第１連結位置または第２連結位置のいずれかの連結状態において連結部６を回動させる操作を行うだけで、該連結状態に対応した吐水領域の扇状吐水とシャワー水の吐水とに切り替ることができ、利便性に富んだ多機能散水装置１を構成することができる。
【００８４】
溝孔１７は、１つの噴水孔１８よりも大きい開口面積を有することにより、本体部２より拡散された吐水領域の扇状吐水を噴出させることができ、しかも、扇状吐水を連結位置の変更によって吐水領域を異ならせることができ、効率的な洗浄清掃を行える利便性に優れた散水装置１を構成することができる。本実施形態においては、溝孔１７は、ノズル部１６ａの中心部に形設されているが、該中心部より偏在した位置、例えば、中心部より上方側の位置に設け、それに合わせて扇状吐水経路を形成してもよい。
【００８５】
本発明に係る溝孔１７は、例えば、長孔や矩形スリットの形体にすることができる。本発明においては、単一の溝孔に限らず、例えば、所定間隔をあけて穿設された複数個の溝孔で構成された複合溝孔を使用することができる。
【産業上の利用可能性】
【００８６】
本発明は、例えば、風呂場や浴室、住居や車両の外面等の洗浄清掃を効率的に行える利便性に優れた散水装置を実現することができる。本発明は、特には、例えば、風呂場や浴室、住居や車両の外面等を洗浄清掃するクリーニングサービス事業分野に貢献し得るものである。
【符号の説明】
【００８７】
１      散水装置
２      本体部
３      頭部
４      凹部
４ａ    突起部
４ｂ    開口
４ｃ    凸部
４ｄ    係合部
４ｅ    当接部
５      把持部
６      連結部
７      ねじ部
８      下端開口
９      給水管
１０      ロックナット部
１１      導入本体部
１１ａ    筒部
１１ｂ    凹部
１１ｃ    底部
１１ｄ    係止部
１１ｅ    係止部
１１ｆ    貫通孔
１１ｇ    貫通孔
１１ｈ    貫通孔
１１ｉ    貫通孔
１１ｊ    パッキン収容溝
１１ｋ    パッキン収容溝
１１ｌ    係合溝部
１１ｍ    係合溝部
１１ｎ    キャップ収容部
１１ｏ    切替板収容部
１１ｐ    段差部
１１ｑ    位置決め溝
１２      ロックハンドル部材
１２ａ    操作部
１２ｂ    ロック係合部
１２ｃ    貫通孔
１３      切替ハンドル部材
１３ａ    ハンドル部
１３ｂ    外周部
１３ｃ    係合爪部
１３ｄ    係合溝
１３ｅ    中空部
１３ｆ    貫通溝
１３ｇ    係着部
１４      切替板
１４ａ    大径部
１４ｂ    小径筒部
１４ｃ    上面
１４ｄ    貫通孔
１４ｅ    貫通孔
１５      切替キャップ部材
１５ａ    キャップ本体部
１５ｂ    円筒部
１５ｃ    円筒部
１５ｄ    仕切部
１５ｅ    貫通孔
１５ｆ    Ｏリング溝
１５ｇ    円筒状空間部
１５ｈ    規制部材
１５ｉ    蓋部
１５ｊ    歯部
１６      噴水部
１６ａ    ノズル部
１６ｂ    噴水筒部
１６ｃ    底面部
１６ｄ    溝部
１６ｅ    ノズル筒部
１６ｆ    微小突起
１６ｈ    大径孔部
１６ｉ    小径孔部
１６ｋ    鍔部
１７      溝孔
１８      噴水孔
１９      カートリッジ
２０      直進流路
２０ａ    連通孔
２１      導入部
２２      回動部
【図１】
2018167148.tif 000003
【図２】
2018167148.tif 000004
【図３】
2018167148.tif 000005
【図４】
2018167148.tif 000006
【図５】
2018167148.tif 000007
【図６】
2018167148.tif 000008
【図７】
2018167148.tif 000009
【図８】
2018167148.tif 000010
【図９】
2018167148.tif 000011
【図１０】
2018167148.tif 000012
【図１１】
2018167148.tif 000013
【図１２】
2018167148.tif 000014
【図１３】
2018167148.tif 000015
【図１４】
2018167148.tif 000016
【図１５】
2018167148.tif 000017
【図１６】
2018167148.tif 000018